【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
動画データを蓄積可能な蓄積部に、放送波から受信したチャンネルで放送される番組の動画データを蓄積しつつ、蓄積された当該動画データを任意の時間遅延させて再生可能な動画記録再生装置であって、
ユーザの指定に応じて、複数のチャンネルのうち所定のチャンネルで放送されている番組の動画データを前記蓄積部に蓄積する蓄積手段と、
前記蓄積部に蓄積されることによって生じる、蓄積された前記動画データの放送時刻からの遅延時間を算出する算出手段と、
放送波から受信した番組情報データに基づいて、少なくとも放送中の番組を含む複数の番組情報から構成される番組表データを生成する生成手段と、を有し、
前記生成手段は、前記蓄積部に蓄積中の所定のチャンネルについては前記算出手段で算出される遅延時間を当該チャンネルで現在以降に放送予定の番組の番組放送時刻情報に反映させ、前記所定のチャンネルと前記所定のチャンネル以外のチャンネルとを現在時刻を基準として並列に配置した番組表データを生成することを特徴とする動画記録再生装置。
【請求項２】
前記番組表データに対して、前記蓄積部に動画データとして蓄積中の番組を選択し、当該番組に対応する動画データの再生速度を指示する指示手段を有し、
前記算出手段は、前記指示手段によって指示された再生速度で前記動画データを再生した場合の遅延時間を算出することを特徴とする請求項１に記載の動画記録再生装置。
【請求項３】
前記生成手段は、前記指示手段で再生速度の指示がなされた番組の本来の番組終了時刻と、前記再生速度で再生した場合に当該番組の再生が終了する再生終了時刻とを比較した結果、前記再生終了時刻の方が現在時刻に近い場合、指示された再生速度での再生が不可であることを示す表示を行うことを特徴とする請求項２に記載の動画記録再生装置。
【請求項４】
動画データを蓄積可能な蓄積部に、放送波から受信したチャンネルで放送される番組の動画データを蓄積しつつ、蓄積された当該動画データを任意の時間遅延させて再生可能な動画記録再生方法であって、
ユーザの指定に応じて、複数のチャンネルのうち所定のチャンネルで放送されている番組の動画データを前記蓄積部に蓄積する蓄積ステップと、
前記蓄積部に蓄積されることによって生じる、蓄積された前記動画データの放送時刻からの遅延時間を算出する算出ステップと、
放送波から受信した番組情報データに基づいて、少なくとも放送中の番組を含む複数の番組情報から構成される番組表データを生成する生成ステップと、を有し、
前記生成ステップでは、前記蓄積部に蓄積中の所定のチャンネルについては前記算出ステップで算出される遅延時間を当該チャンネルで現在以降に放送予定の番組の番組放送時刻情報に反映させ、前記所定のチャンネルと前記所定のチャンネル以外のチャンネルとを現在時刻を基準として並列に配置した番組表データを生成することを特徴とする動画記録再生方法。
【請求項５】
前記番組表データに対して、前記蓄積部に動画データとして蓄積中の番組を選択し、当該番組に対応する動画データの再生速度を指示する指示ステップを有し、
前記算出ステップでは、前記指示ステップで指示された再生速度で前記動画データを再生した場合の遅延時間を算出することを特徴とする請求項４に記載の動画記録再生方法。
【請求項６】
前記生成ステップでは、前記指示ステップで再生速度の指示がなされた番組の本来の番組終了時刻と、前記再生速度で再生した場合に当該番組の再生が終了する再生終了時刻とを比較した結果、前記再生終了時刻の方が現在時刻に近い場合、指示された再生速度での再生が不可であることを示す表示を行うことを特徴とする請求項５に記載の動画記録再生方法。
【手続補正２】
【補正対象書類名】明細書
【補正対象項目名】発明の名称
【補正方法】変更
【補正の内容】
【発明の名称】動画記録再生装置及び動画記録再生方法
【手続補正３】
【補正対象書類名】明細書
【補正対象項目名】０００１
【補正方法】変更
【補正の内容】
【０００１】
本発明は、放送波から受信したチャンネルで放送される番組の動画データを蓄積して再生する動画記録再生装置及び動画記録再生方法に関する。
【手続補正４】
【補正対象書類名】明細書
【補正対象項目名】００２５
【補正方法】変更
【補正の内容】
【００２５】
上記課題を解決するため、本発明の動画記録再生装置は、動画データを蓄積可能な蓄積部に、放送波から受信したチャンネルで放送される番組の動画データを蓄積しつつ、蓄積された当該動画データを任意の時間遅延させて再生可能な動画記録再生装置であって、ユーザの指定に応じて、複数のチャンネルのうち所定のチャンネルで放送されている番組の動画データを前記蓄積部に蓄積する蓄積手段と、前記蓄積部に蓄積されることによって生じる、蓄積された前記動画データの放送時刻からの遅延時間を算出する算出手段と、放送波から受信した番組情報データに基づいて、少なくとも放送中の番組を含む複数の番組情報から構成される番組表データを生成する生成手段と、を有し、前記生成手段は、前記蓄積部に蓄積中の所定のチャンネルについては前記算出手段で算出される遅延時間を当該チャンネルで現在以降に放送予定の番組の番組放送時刻情報に反映させ、前記所定のチャンネルと前記所定のチャンネル以外のチャンネルとを現在時刻を基準として並列に配置した番組表データを生成することを特徴とする。
また、本発明の動画記録再生方法は、動画データを蓄積可能な蓄積部に、放送波から受信したチャンネルで放送される番組の動画データを蓄積しつつ、蓄積された当該動画データを任意の時間遅延させて再生可能な動画記録再生方法であって、ユーザの指定に応じて、複数のチャンネルのうち所定のチャンネルで放送されている番組の動画データを前記蓄積部に蓄積する蓄積ステップと、前記蓄積部に蓄積されることによって生じる、蓄積された前記動画データの放送時刻からの遅延時間を算出する算出ステップと、放送波から受信した番組情報データに基づいて、少なくとも放送中の番組を含む複数の番組情報から構成される番組表データを生成する生成ステップと、を有し、前記生成ステップでは、前記蓄積部に蓄積中の所定のチャンネルについては前記算出ステップで算出される遅延時間を当該チャンネルで現在以降に放送予定の番組の番組放送時刻情報に反映させ、前記所定のチャンネルと前記所定のチャンネル以外のチャンネルとを現在時刻を基準として並列に配置した番組表データを生成することを特徴とする。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】